(57)【要約】  【課題】  テレビ受像機を用いて利便性の高いサービスを提供する。  【解決手段】  放送施設５０は、ショッピング番組の放送信号の中に、ショッピングサイトへのリンク情報を組み込んで送出する。テレビ受像機１０は、ショッピング番組中に表示されたリンク情報が選択されると、ショッピングサイトへのアクセス要求を外部に送出する。アクセス要求がセットトップボックス２０及び中継サーバ３０を経由する場合には、お得意様サイトにアクセスするように、アクセス要求に含まれているページ特定情報の少なくとも一部が書き換えられる。【選択図】図１
2010009591.tif 000002
【特許請求の範囲】
【請求項１】
クライアント端末からのウェブアクセスを中継する中継装置であって、
アクセスすべきウェブページを特定するためのページ特定情報を、クライアント端末から取得するページ特定情報取得手段と、
前記クライアント端末の識別情報に基づく端末認証に成功した場合に、前記ページ特定情報取得手段により取得されたページ特定情報の一部を書き換える書換手段と
を有する中継装置。
【請求項２】
前記クライアント端末の識別情報に基づく端末認証に失敗した場合に、このクライアント端末から取得されたページ特定情報を、そのまま、アクセス先に向けて送信する送信手段
をさらに有し、
前記書換手段は、前記クライアント端末の識別情報に基づく端末認証に失敗した場合に、このクライアント端末から取得されたページ特定情報の書換えを行わない
請求項１に記載の中継装置。
【請求項３】
既定の利用者に関する利用者情報を格納する利用者情報格納手段と、
前記クライアント端末の識別情報に基づく端末認証に成功した場合に、前記利用者情報格納手段により格納されている利用者情報を、前記書換手段により書き換えられたページ特定情報に関連付けて送信する送信手段と
をさらに有する請求項１に記載の中継装置。
【請求項４】
クライアント端末と、このクライアント端末に直接接続された第１の中継装置と、第２の中継装置とを含む情報処理システムであって、
前記第1の中継装置は、
ウェブページにアクセスするためのアクセス要求情報を、前記クライアント端末から取得するアクセス要求取得手段と、
前記クライアント端末の識別情報に基づく端末認証に成功した場合に、前記アクセス要求取得手段により取得されたアクセス要求情報の少なくとも一部を前記第2の中継装置に送信する送信手段と
を有し、
前記第２の中継装置は、
前記第１の中継装置から受信したアクセス要求情報に応じて、通知すべき再アクセス先のウェブページを選択するページ選択手段と、
前記ページ選択手段により選択されたウェブページを、再アクセス先のウェブページとして前記クライアント端末に通知するページ通知手段と
を有する
情報処理システム。
【請求項５】
前記第１の中継装置又は前記第２の中継装置は、
クライアント端末のユーザに関して、ユーザ認証を行うユーザ認証手段
をさらに有し、
前記ページ選択手段は、前記第１の中継装置から受信したアクセス要求情報と、前記ユーザ認証手段によるユーザ認証の結果とに応じて、通知すべき再アクセス先のウェブページを選択する
請求項４に記載の情報処理システム。
【請求項６】
前記ページ選択手段は、前記第１の中継装置から受信したアクセス要求情報に対応するウェブページと同一ドメインに属する他のウェブページを、再アクセス先のウェブページとして選択する
請求項４に記載の情報処理システム。
【請求項７】
テレビ受像機に接続された周辺装置であって、
前記テレビ受像機からのウェブアクセスを検知するアクセス検知手段と、
前記アクセス検知手段によりウェブアクセスが検知された時に前記テレビ受像機で表示されている番組を特定する番組特定手段と、
前記番組特定手段により特定された番組に基づいて、アクセス先を決定する決定手段と、
前記決定手段により決定されたアクセス先にアクセスして、ウェブコンテンツを要求する要求手段と
を有する周辺装置。
【請求項８】
前記要求手段により要求したウェブコンテンツを前記テレビ受像機に転送する転送手段
をさらに有する請求項７に記載の周辺装置。
【請求項９】
利用者の住所を含む利用者情報を格納する記録領域と、
前記記録領域に格納された利用者情報を、前記決定手段により決定されたアクセス先に送信する送信手段と
をさらに有する請求項７に記載の周辺装置。
【請求項１０】
前記テレビ受像機のリモートコントローラから発信される信号を受信する受信ポートと、
ウェブコンテンツの少なくとも一部を番組に対応付けて格納するコンテンツ格納手段と
をさらに有し、
前記アクセス検知手段は、前記テレビ受像機に対してウェブアクセスを指示するウェブアクセス信号を前記受信ポートで受信することにより、ウェブアクセスを検知し、
前記番組特定手段は、前記テレビ受像機に対してチャンネルの切替えを指示するチャンネル切替信号に基づいて、表示されている番組を特定し、
前記要求手段は、前記番組特定手段により特定された番組が既定の番組である場合に、この番組に対応付けて格納されているウェブコンテンツの一部を前記コンテンツ格納手段から読み出す
請求項７に記載の周辺装置。
【請求項１１】
前記決定手段は、ウェブアクセスが検知された時にテレビショッピング番組が前記テレビ受像機で表示されていたことを条件として、ショッピングサイトをアクセス先として決定する
請求項７に記載の周辺装置。
【請求項１２】
前記決定手段は、ウェブアクセスが検知された時に既定の番組が前記テレビ受像機で表示されていたことを条件として、商品サンプルの配布を受け付けるサイトをアクセス先として決定する
請求項７に記載の周辺装置。
【請求項１３】
テレビ受像機に接続された周辺装置であって、
前記テレビ受像機からのウェブアクセスを検知するアクセス検知手段と、
前記アクセス検知手段によりウェブアクセスが検知された時間帯に基づいて、アクセス先を決定する決定手段と、
前記決定手段により決定されたアクセス先にアクセスして、ウェブコンテンツを要求する要求手段と
を有する周辺装置。
【請求項１４】
既定の番組が放送される時間帯であるか否かに応じて、通常モードと、これよりも電力消費量が小さいスリープモードとを切り替えるモード切替手段
をさらに有する請求項１３に記載の周辺装置。
【請求項１５】
テレビ受像機に接続された周辺装置であって、
前記テレビ受像機からのウェブアクセスを検知するアクセス検知手段と、
前記アクセス検知手段によりウェブアクセスが検知された時に前記テレビ受像機で表示されていたチャンネルを特定するチャンネル特定手段と、
前記チャンネル特定手段により特定されたチャンネルに基づいて、アクセス先を決定する決定手段と、
前記決定手段により決定されたアクセス先にアクセスして、ウェブコンテンツを要求する要求手段と
を有する周辺装置。
【請求項１６】
前記テレビ受像機のリモートコントローラから発信される信号を受信する受信ポート
をさらに有し、
前記アクセス検知手段は、前記テレビ受像機に対してウェブアクセスを指示するウェブアクセス信号を前記受信ポートで受信することにより、ウェブアクセスを検知し、
前記チャンネル特定手段は、前記テレビ受像機に対してチャンネルの切替えを指示するチャンネル切替信号に基づいて、表示されているチャンネルを特定し、
前記決定手段は、特定されたチャンネルが既定のチャンネルである場合に、既定のウェブサイトをアクセス先に決定し、特定されたチャンネルが既定のチャンネル以外である場合に、前記テレビ受像機により決定されたアクセス先をそのままアクセス先として採用する
請求項１５に記載の周辺装置。
【請求項１７】
テレビの放送電波を受信して、テレビ画面を表示するテレビ受像手段と、
ユーザから、ウェブアクセスの要求を受け付けるアクセス受付手段と、
前記アクセス受付手段によりウェブアクセスが受け付けられた時に前記テレビ受像手段により表示されている番組を特定する番組特定手段と、
前記番組特定手段により特定された番組に基づいて、アクセス先を決定する決定手段と、
前記決定手段により決定されたアクセス先にアクセスして、ウェブコンテンツを要求する要求手段と
を有するテレビ受像機。
【請求項１８】
テレビ受像機に接続された周辺装置と、この周辺装置からのウェブアクセスに応じてサービスを提供するサービス提供装置とを含む情報処理システムであって、
前記周辺装置は、
前記テレビ受像機からのウェブアクセスを検知するアクセス検知手段と、
前記サービス提供装置にアクセスして、前記アクセス検知手段によりウェブアクセスが検知された時に前記テレビ受像機で表示されている番組を特定するための番組特定情報を前記サービス提供装置に提供するアクセス手段と
を有し、
前記サービス提供装置は、
前記アクセス手段から提供された番組特定情報に基づいて、提供するウェブサービスを選択するサービス選択手段と、
前記サービス選択手段により選択されたウェブサービスを提供するサービス提供手段と
を有する
情報処理システム。
【請求項１９】
前記周辺装置は、
既定の番組が表示されていた時間を視聴時間として計測する時間計測手段と、
前記時間計測手段により計測された視聴時間を各番組に対応付けて格納する時間格納手段と
をさらに有し、
前記アクセス手段は、前記アクセス検知手段によりウェブアクセスが検知された時に前記テレビ受像機で表示されている番組に対応付けて格納されている視聴時間とを、前記番組特定情報とを前記サービス提供装置に提供し、
前記サービス提供手段は、前記アクセス手段から提供された視聴時間に応じて、前記サービス選択手段により選択されたウェブサービスを提供する
請求項１８に記載の情報処理システム。
【請求項２０】
前記周辺装置は、
前記テレビ受像機から、鍵ペアの一方を取得する鍵取得手段
をさらに有し、
前記サービス提供手段は、前記鍵ペアの他方で暗号化されたウェブコンテンツを提供する
請求項１８に記載の情報処理システム。
【請求項２１】
テレビ受像機に接続された周辺装置と、周辺装置からの要求を中継する中継装置と、サービスを提供するサービス提供装置とを含む情報処理システムであって、
前記周辺装置は、利用者を識別する利用者識別情報を付加して、サービス要求を行い、
前記中継装置は、前記周辺装置によりサービス要求に付加された利用者識別情報に基づいて、利用者に関する利用者情報をデータベースから読み出し、読み出された利用者情報をサービス要求に付加してサービス提供装置に転送する
情報処理システム。
【発明の詳細な説明】
【技術分野】
【０００１】
本発明は、テレビ受像機を用いたウェブ上のサービスに関する。
【背景技術】
【０００２】
例えば、特許文献１には、テレビのチャネル選択操作と同様な操作方法でインターネットを簡単に利用することができるインターネットテレビジョン装置が開示されている。
【特許文献１】特開２００７−２０８９５２号公報
【発明の開示】
【発明が解決しようとする課題】
【０００３】
本発明は、上述した背景からなされたものであり、テレビ受像機を用いてウェブ上のサービスを提供することを目的とする。
【課題を解決するための手段】
【０００４】
上記目的を達成するために、本発明に中継装置は、クライアント端末からのウェブアクセスを中継する中継装置であって、アクセスすべきウェブページを特定するためのページ特定情報を、クライアント端末から取得するページ特定情報取得手段と、前記クライアント端末の識別情報に基づく端末認証に成功した場合に、前記ページ特定情報取得手段により取得されたページ特定情報の一部を書き換える書換手段とを有する。
【０００５】
好適には、前記クライアント端末の識別情報に基づく端末認証に失敗した場合に、このクライアント端末から取得されたページ特定情報を、そのまま、アクセス先に向けて送信する送信手段をさらに有し、前記書換手段は、前記クライアント端末の識別情報に基づく端末認証に失敗した場合に、このクライアント端末から取得されたページ特定情報の書換えを行わない。
【０００６】
好適には、既定の利用者に関する利用者情報を格納する利用者情報格納手段と、前記クライアント端末の識別情報に基づく端末認証に成功した場合に、前記利用者情報格納手段により格納されている利用者情報を、前記書換手段により書き換えられたページ特定情報に関連付けて送信する送信手段とをさらに有する。
【０００７】
また、本発明に係る情報処理システムは、クライアント端末と、このクライアント端末に直接接続された第１の中継装置と、第２の中継装置とを含む情報処理システムであって、前記第1の中継装置は、ウェブページにアクセスするためのアクセス要求情報を、前記クライアント端末から取得するアクセス要求取得手段と、前記クライアント端末の識別情報に基づく端末認証に成功した場合に、前記アクセス要求取得手段により取得されたアクセス要求情報の少なくとも一部を前記第2の中継装置に送信する送信手段とを有し、前記第２の中継装置は、前記第１の中継装置から受信したアクセス要求情報に応じて、通知すべき再アクセス先のウェブページを選択するページ選択手段と、前記ページ選択手段により選択されたウェブページを、再アクセス先のウェブページとして前記クライアント端末に通知するページ通知手段とを有する。
【０００８】
好適には、前記第１の中継装置又は前記第2の中継装置は、クライアント端末のユーザに関して、ユーザ認証を行うユーザ認証手段をさらに有し、前記ページ選択手段は、前記第１の中継装置から受信したアクセス要求情報と、前記ユーザ認証手段によるユーザ認証の結果とに応じて、通知すべき再アクセス先のウェブページを選択する。
【０００９】
好適には、前記ページ選択手段は、前記第１の中継装置から受信したアクセス要求情報に対応するウェブページと同一ドメインに属する他のウェブページを、再アクセス先のウェブページとして選択する。
【００１０】
また、本発明に係る周辺装置は、テレビ受像機に接続された周辺装置であって、前記テレビ受像機からのウェブアクセスを検知するアクセス検知手段と、前記アクセス検知手段によりウェブアクセスが検知された時に前記テレビ受像機で表示されている番組を特定する番組特定手段と、前記番組特定手段により特定された番組に基づいて、アクセス先を決定する決定手段と、前記決定手段により決定されたアクセス先にアクセスして、ウェブコンテンツを要求する要求手段とを有する。
【００１１】
好適には、前記要求手段により要求したウェブコンテンツを前記テレビ受像機に転送する転送手段をさらに有する。
【００１２】
好適には、利用者の住所を含む利用者情報を格納する記録領域と、前記記録領域に格納された利用者情報を、前記決定手段により決定されたアクセス先に送信する送信手段とをさらに有する。
【００１３】
好適には、前記テレビ受像機のリモートコントローラから発信される信号を受信する受信ポートと、ウェブコンテンツの少なくとも一部を番組に対応付けて格納するコンテンツ格納手段とをさらに有し、前記アクセス検知手段は、前記テレビ受像機に対してウェブアクセスを指示するウェブアクセス信号を前記受信ポートで受信することにより、ウェブアクセスを検知し、前記番組特定手段は、前記テレビ受像機に対してチャンネルの切替えを指示するチャンネル切替信号に基づいて、表示されている番組を特定し、前記要求手段は、前記番組特定手段により特定された番組が既定の番組である場合に、この番組に対応付けて格納されているウェブコンテンツの一部を前記コンテンツ格納手段から読み出す。
【００１４】
好適には、前記決定手段は、ウェブアクセスが検知された時にテレビショッピング番組が前記テレビ受像機で表示されていたことを条件として、ショッピングサイトをアクセス先として決定する。
【００１５】
好適には、前記決定手段は、ウェブアクセスが検知された時に既定の番組が前記テレビ受像機で表示されていたことを条件として、商品サンプルの配布を受け付けるサイトをアクセス先として決定する。
【００１６】
また、本発明に係る周辺装置は、テレビ受像機に接続された周辺装置であって、前記テレビ受像機からのウェブアクセスを検知するアクセス検知手段と、前記アクセス検知手段によりウェブアクセスが検知された時間帯に基づいて、アクセス先を決定する決定手段と、前記決定手段により決定されたアクセス先にアクセスして、ウェブコンテンツを要求する要求手段とを有する。
【００１７】
好適には、既定の番組が放送される時間帯であるか否かに応じて、通常モードと、これよりも電力消費量が小さいスリープモードとを切り替えるモード切替手段をさらに有する。
【００１８】
また、本発明に係る周辺装置は、テレビ受像機に接続された周辺装置であって、前記テレビ受像機からのウェブアクセスを検知するアクセス検知手段と、前記アクセス検知手段によりウェブアクセスが検知された時に前記テレビ受像機で表示されていたチャンネルを特定するチャンネル特定手段と、前記チャンネル特定手段により特定されたチャンネルに基づいて、アクセス先を決定する決定手段と、前記決定手段により決定されたアクセス先にアクセスして、ウェブコンテンツを要求する要求手段とを有する。
【００１９】
好適には、前記テレビ受像機のリモートコントローラから発信される信号を受信する受信ポートをさらに有し、前記アクセス検知手段は、前記テレビ受像機に対してウェブアクセスを指示するウェブアクセス信号を前記受信ポートで受信することにより、ウェブアクセスを検知し、前記チャンネル特定手段は、前記テレビ受像機に対してチャンネルの切替えを指示するチャンネル切替信号に基づいて、表示されているチャンネルを特定し、前記決定手段は、特定されたチャンネルが既定のチャンネルである場合に、既定のウェブサイトをアクセス先に決定し、特定されたチャンネルが既定のチャンネル以外である場合に、前記テレビ受像機により決定されたアクセス先をそのままアクセス先として採用する。
【００２０】
また、本発明に係るテレビ受像機は、テレビの放送電波を受信して、テレビ画面を表示するテレビ受像手段と、ユーザから、ウェブアクセスの要求を受け付けるアクセス受付手段と、前記アクセス受付手段によりウェブアクセスが受け付けられた時に前記テレビ受像手段により表示されている番組を特定する番組特定手段と、前記番組特定手段により特定された番組に基づいて、アクセス先を決定する決定手段と、前記決定手段により決定されたアクセス先にアクセスして、ウェブコンテンツを要求する要求手段とを有する。
【００２１】
また、本発明に係る情報処理システムは、テレビ受像機に接続された周辺装置と、この周辺装置からのウェブアクセスに応じてサービスを提供するサービス提供装置とを含む情報処理システムであって、前記周辺装置は、前記テレビ受像機からのウェブアクセスを検知するアクセス検知手段と、前記サービス提供装置にアクセスして、前記アクセス検知手段によりウェブアクセスが検知された時に前記テレビ受像機で表示されている番組を特定するための番組特定情報を前記サービス提供装置に提供するアクセス手段とを有し、前記サービス提供装置は、前記アクセス手段から提供された番組特定情報に基づいて、提供するウェブサービスを選択するサービス選択手段と、前記サービス選択手段により選択されたウェブサービスを提供するサービス提供手段とを有する。
【００２２】
好適には、前記周辺装置は、既定の番組が表示されていた時間を視聴時間として計測する時間計測手段と、前記時間計測手段により計測された視聴時間を各番組に対応付けて格納する時間格納手段とをさらに有し、前記アクセス手段は、前記アクセス検知手段によりウェブアクセスが検知された時に前記テレビ受像機で表示されている番組に対応付けて格納されている視聴時間とを、前記番組特定情報とを前記サービス提供装置に提供し、前記サービス提供手段は、前記アクセス手段から提供された視聴時間に応じて、前記サービス選択手段により選択されたウェブサービスを提供する。
好適には、前記周辺装置は、前記テレビ受像機から、鍵ペアの一方を取得する鍵取得手段をさらに有し、前記サービス提供手段は、前記鍵ペアの他方で暗号化されたウェブコンテンツを提供する。
【００２３】
また、本発明に係る情報処理システムは、テレビ受像機に接続された周辺装置と、周辺装置からの要求を中継する中継装置と、サービスを提供するサービス提供装置とを含む情報処理システムであって、前記周辺装置は、利用者を識別する利用者識別情報を付加して、サービス要求を行い、前記中継装置は、前記周辺装置によりサービス要求に付加された利用者識別情報に基づいて、利用者に関する利用者情報をデータベースから読み出し、読み出された利用者情報をサービス要求に付加してサービス提供装置に転送する。
【発明の効果】
【００２４】
本発明によれば、テレビ受像機を用いて、利便性の高いサービスを提供することができる。
【発明を実施するための最良の形態】
【００２５】
［第１実施形態］
まず、第１の実施形態におけるサービス提供システム１の全体構成を説明する。
図１は、サービス提供システム１の構成を例示する図である。
図１に例示するように、サービス提供システム１は、テレビ受像機１０、セットトップボックス２０、中継サーバ３０、サービス提供サーバ４０、及び、放送施設５０を有する。
テレビ受像機１０には、テレビリモコン１２（テレビのリモートコントローラ）が付属する。ユーザは、テレビリモコン１２を操作することにより、テレビ受像機１０を制御することができる。
テレビ受像機１０は、ＨＴＭＬファイルの閲覧機能（ウェブブラウザの機能）を有し、ユーザの指示に応じて、ウェブページに対するアクセス要求を行う。アクセス要求には、アクセス先のウェブページを特定するためのページ特定情報（例えば、ＵＲＬ）が含まれている。
テレビ受像機１０は、さらに、地上波デジタル放送を上映する機能と、ＢＭＬファイルの閲覧機能とを有する。
【００２６】
セットトップボックス２０は、テレビ受像機１０に直接接続された周辺装置である。セットトップボックス２０は、テレビ受像機１０からのアクセス要求を中継する中継装置（第１の中継装置）であり、後述する第１中継プログラム６に従って動作する。
【００２７】
中継サーバ３０は、後述する第２中継プログラム７がインストールされたサーバ装置であり、セットトップボックス２０とサービス提供サーバ４０との間の通信を支援する。
サービス提供サーバ４０は、ウェブサーバであり、クライアント端末（テレビ受像機１０など）に対して、サービスを提供する。
放送施設５０は、地上波デジタル放送の電波を送出する。
【００２８】
本例では、テレビ放送におけるショッピング番組と、インターネット上のショッピングサイトとを連動させる形態を具体例として説明する。すなわち、放送施設５０は、ショッピング番組の信号の中に、ショッピングサイトへのリンク情報を組み込んで送出する。テレビ受像機１０は、ショッピング番組の放映中に、ショッピングサイトのリンク情報が選択されると、リンク先のショッピングサイトへのアクセス要求を外部（セットトップボックス２０）に送出する。サービス提供サーバ４０は、テレビ受像機１０からのアクセス要求に応じて、ショッピングサイトのウェブページをテレビ受像機１０に返す。その際に、アクセス要求がセットトップボックス２０及び中継サーバ３０を経由する場合には、お得意様サイトにアクセスするように、アクセス要求に含まれているページ特定情報の少なくとも一部が書き換えられ、アクセス要求がセットトップボックス２０又は中継サーバ３０を経由しない場合には、ページ特定情報が書き換えられず、通常のショッピングサイトにアクセスすることになる。なお、お得意様サイトと、通常のショッピングサイトとは、同一ドメインに属することが望ましい。
【００２９】
図２は、セットトップボックス２０にインストールされる第１中継プログラム６の機能構成と、中継サーバ３０にインストールされる第２中継プログラム７の機能構成とを例示する図である。
図２に例示するように、第１中継プログラム６は、要求取得部６００、端末認証部６１０、アクセス先決定部６２０、個人情報読出し部６３０、個人情報挿入部６４０、要求書換部６５０、及び、中継部６６０を有する。また、セットトップボックス２０の記録領域には、図２に例示するように、ユーザに関する情報（利用者情報）を格納する個人情報格納部２００が設けられている。
第２中継プログラム７は、要求取得部７００、ページ選択部７１０、及び、アクセス支援部７２０を有する。
第１中継プログラム６及び第２中継プログラム７の各機能構成は、例えば、ＣＤ−ＲＯＭ等の記録媒体に記録されており、この記録媒体を介してセットトップボックス２０及び中継サーバ３０（図１）にそれぞれインストールされる。また、第１中継プログラム６及び第２中継プログラム７の機能構成は、ネットワークを介して、セットトップボックス２０及び中継サーバ３０にそれぞれインストールされてもよい。
なお、第１中継プログラム６及び第２中継プログラム７の一部又は全部が、ＡＳＩCなどのハードウェアによって実装されてもよい。
【００３０】
第１中継プログラム６において、要求取得部６００（ページ特定情報取得手段）は、テレビ受像機１０（クライアント端末）から、アクセス要求を取得する。アクセス要求には、アクセス先のウェブページを特定するためのページ特定情報（ＵＲＬなど）が含まれている。
【００３１】
端末認証部６１０は、クライアント端末（テレビ受像機１０など）の識別情報に基づいて、アクセス要求を送信したクライアント端末の認証を行う。本例の端末認証部６１０は、クライアント端末のＭＡＣアドレスに基づいて、認証を行う。
【００３２】
アクセス先決定部６２０は、端末認証部６１０による認証結果と、アクセス要求のアクセス先とに基づいて、アクセス先（すなわち、アクセス要求の転送先）を決定する。本例のアクセス先決定部６２０は、端末認証部６１０による端末認証に成功し、かつ、アクセス要求のアクセス先が既定のアクセス先である場合に、要求取得部６００により取得されたアクセス要求の転送先を中継サーバ３０に決定し、端末認証部６１０による端末認証に失敗した場合、又は、アクセス要求のアクセス先が既定のアクセス先以外である場合に、要求取得部６００により取得されたアクセス要求の転送先を、アクセス要求のアクセス先そのものに決定する。
【００３３】
個人情報読出し部６３０は、個人情報挿入部６４０からの要求に応じて、個人情報格納部２００から、ユーザに関する情報（以下、個人情報）を読み出し、読み出された個人情報を個人情報挿入部６４０に出力する。
個人情報挿入部６４０は、端末認証部６１０による端末認証に成功した場合に、個人情報読出し部６３０から入力された個人情報を、要求取得部６００により取得されたアクセス要求に挿入する。例えば、個人情報挿入部６４０は、アクセス要求に含まれるＵＲＬのパラメータ部分に、個人情報を挿入する。
なお、本例の個人情報挿入部６４０は、アクセス要求に対して、個人情報を挿入するが、これに限定されるものではなく、例えば、セッション中の任意のパケットに個人情報を挿入してもよい。
【００３４】
要求書換部６５０は、アクセス先決定部６２０により決定されたアクセス先に応じて、要求取得部６００により取得されたアクセス要求の少なくとも一部を書き換える。本例の要求書換部６５０は、アクセス先決定部６２０により中継サーバ３０がアクセス先として決定された場合にのみ、要求取得部６００により取得されたアクセス要求のアクセス先を、中継サーバ３０に書き換える。なお、要求書換部６５０は、アクセス要求のアクセス先を書き換える場合に、書換前のアクセス先（ページ特定情報）を、アクセス要求の他の部分（データ領域など）に書き込んでおく。以下、書換前のアクセス先を当初アクセス先という。
【００３５】
中継部６６０は、要求書換部６５０によりアクセス要求が書き換えられた場合には、書き換えられたアクセス要求を、アクセス要求が書き換えられなかった場合には、要求取得部６００により取得されたアクセス要求そのものを、これらのアクセス要求のアクセス先に従って外部に送信する。
また、中継部６６０は、送信されたアクセス要求によって接続が確立されると、この確立された接続による通信を中継する。
【００３６】
第２中継プログラム７において、要求取得部７００は、セットトップボックス２０からのアクセス要求を受信し、受信したアクセス要求をページ選択部７１０に出力する。
ページ選択部７１０は、要求取得部７００により受信されたアクセス要求に基づいて、アクセス先（すなわち、アクセス先のウェブページ）を選択する。本例のページ選択部７１０は、リダイレクト先のページ特定情報を当初アクセス先に対応づけたリダイレクトテーブルを予め有しており、アクセス要求に含まれる当初アクセス先に基づいて、リダイレクト先のページ特定情報をリダイレクトテーブルから選択する。
【００３７】
アクセス支援部７２０は、ページ選択部７１０により選択されたアクセス先と、クライアント端末（テレビ受像機１０など）との間の接続の確立を支援する。本例のアクセス支援部７２０は、リダイレクトサーバとして、ページ選択部７１０により選択されたアクセス先を再アクセス先としてセットトップボックス２０に通知するが、これに限定されるものではなく、例えば、プロキシサーバとして、ページ選択部７１０により選択されたアクセス先への通信を中継してもよい。
【００３８】
図３は、セットトップボックス２０及び中継サーバ３０の動作（Ｓ１０）を説明するフローチャートである。
ユーザは、テレビ受像機１０で所望の番組を閲覧中に、テレビリモコン１２を操作して、リンク情報を選択すると、テレビ受像機１０は、選択されたリンク情報に対応するアクセス先へのアクセス要求を生成し、生成されたアクセス要求をセットトップボックス２０に送信する。
【００３９】
ステップ１００（Ｓ１００）において、セットトップボックス２０の要求取得部６００（図２）は、テレビ受像機１０からアクセス要求を受信すると、受信したアクセス要求をアクセス先決定部６２０に出力する。
【００４０】
ステップ１１０（S１１０）において、アクセス先決定部６２０は、要求取得部６００から入力されたアクセス要求のページ特定情報（URLやIPアドレスなど）に基づいて、アクセス先が既定のアクセス先であるか否かを判断する。本例の「既定のアクセス先」は、テレビショッピングの番組と連動させるインターネットショッピングのサイトである。
第１中継プログラム６は、アクセス先が、既定のインターネットショッピングサイトである場合に、S１２０の処理に移行し、アクセス先が、既定のインターネットショッピングサイト以外である場合に、S１６０の処理に移行する。
【００４１】
ステップ１２０（Ｓ１２０）において、アクセス先決定部６２０は、端末認証部６１０に対して端末認証を要求する。
端末認証部６１０は、アクセス要求に含まれているMACアドレス（すなわち、テレビ受像機１０のMACアドレス）が既定のアドレスであるか否かを判断し、既定のアドレスである場合に、端末認証に成功した旨をアクセス先決定部６２０に通知し、既定のアドレスでない場合に、端末認証に失敗した旨をアクセス先決定部６２０に通知する。
【００４２】
ステップ１３０（Ｓ１３０）において、アクセス先決定部６２０は、端末認証に成功した旨が通知された場合に、中継サーバ３０をアクセス要求の転送先に決定し、端末認証に失敗した旨が通知された場合に、アクセス要求のアクセス先（すなわち、当初アクセス先）をそのまま転送先とする。
第１中継プログラム６は、端末認証に成功した場合に、S１４０の処理に移行し、端末認証に失敗した場合に、S１６０の処理に移行する。
【００４３】
ステップ１４０（Ｓ１４０）において、アクセス先決定部６２０は、アクセス要求を個人情報挿入部６４０に出力する。
個人情報挿入部６４０は、個人情報読出し部６３０により個人情報格納部２００から読み出された個人情報（本例では、ユーザの氏名及び住所など）を、アクセス先決定部６２０から入力されたアクセス要求に挿入し、個人情報が挿入されたアクセス要求を要求書換部６５０に出力する。
【００４４】
ステップ１５０（Ｓ１５０）において、要求書換部６５０は、個人情報挿入部６４０からアクセス要求が入力されると、入力されたアクセス要求のアクセス先（当初アクセス先のURLなど）をアクセス要求の他の部分に書き込み、アクセス要求のアクセス先を、中継サーバ３０に書き換える。
中継部６６０は、要求書換部６５０によりアクセス先が書き換えられたアクセス要求に従って、アクセス要求を中継サーバ３０に向けて送信する。
【００４５】
ステップ１６０（Ｓ１６０）において、アクセス先決定部６２０は、アクセス要求をそのまま中継部６６０に出力する。
中継部６６０は、アクセス先決定部６２０から入力されたアクセス要求（書き換えられていないアクセス要求）を、このアクセス要求に従って送信する。すなわち、このアクセス要求は、中継サーバ３０を経由することなく、サービス提供サーバ４０に送信される。
【００４６】
ステップ１７０（Ｓ１７０）において、中継サーバ３０の要求取得部７００は、セットトップボックス２０からアクセス要求を受信すると、受信したアクセス要求をページ選択部７１０に出力する。
ページ選択部７１０は、要求取得部７００から入力されたアクセス要求の当初アクセス先に基づいて、リダイレクトテーブルから、リダイレクト先のページ（お得意様ページ）を選択し、選択されたリダイレクト先をアクセス支援部７２０に通知する。
【００４７】
ステップ１８０（Ｓ１８０）において、アクセス支援部７２０は、ページ選択部７１０により選択されたリダイレクト先をセットトップボックス２０に通知する。
セットトップボックス２０の中継部６６０は、アクセス支援部７２０から通知されたリダイレクト先（サービス提供サーバ４０のお得意様サイト）に、アクセス要求（個人情報などが含まれたもの）を送信する。
サービス提供サーバ４０は、セットトップボックス２０からのアクセス要求に応じて、インターネットショッピングサイトのページを、セットトップボックス２０経由で、テレビ受像機１０に表示させる。サービス提供サーバ４０は、アクセス要求に住所等の個人情報が含まれている場合には、これらの個人情報（ユーザの氏名及び住所）が記入されたインターネットショッピングサイトを、テレビ受像機１０に表示させることができる。
【００４８】
次に、上記第１の実施形態の変形例１を説明する。
本変形例では、中継サーバ３０がウェブアクセスのフィルタリングを行う。
図４は、フィルタリングを行う第１中継プログラム６２及び第２中継プログラム７２の機能構成を例示する図である。なお、本図に示された各構成のうち、図２に示された構成と実質的に同一のものには同一の符号が付されている。
図４に例示するように、本変形例の第１中継プログラム６２は、図２の第１中継プログラム６の端末認証部６１０及びアクセス先決定部６２０をそれぞれ認証部６１２及び第２のアクセス先決定部６２２に置換した構成をとる。
【００４９】
第１中継プログラム６２において、認証部６１２は、アクセス先決定部６２２からの要求に応じて、端末認証とユーザ認証とを行い、各認証の結果をアクセス先決定部６２２に通知する。ユーザ認証とは、アクセス要求を行ったユーザを認証するものであり、パスワードの入力による認証、又は、生体認証などである。
アクセス決定部６２２は、認証部６１２による端末認証及びユーザ認証の両方で認証に成功した場合に、アクセス要求の転送先を中継サーバ３０に決定する。
【００５０】
また、図４に例示するように、本変形例の第２中継プログラム７２は、図２の第２中継プログラム６のページ選択部７１０を、第２のページ選択部７１２に置換した構成をとる。
第２中継プログラム７２において、ページ選択部７１２は、中継サーバ３０の記録領域に設けられた有害サイト情報格納部３００を参照して、リダイレクト先を選択する。本例の有害サイト情報格納部３００は、アクセスを制限すべきウェブページのページ特定情報と、アクセス制限の条件（年齢など）とを互いに関連づけて格納している。本例のページ選択部７１２は、当初アクセス先が有害サイト情報格納部３００に格納されているページ特定情報のいずれかと一致する場合に、このページ特定情報に関連づけられたアクセス制限条件と、このアクセス要求に含まれている個人情報（ユーザの年齢など）とを比較して、アクセスが制限されているか否かを判断し、アクセスが制限されていると判断された場合に、既定のリダイレクト先（例えば、害のないポータルサイトなど）を選択し、アクセスが制限されていないと判断された場合に、当初アクセス先をリダイレクト先として選択する。
【００５１】
図５は、変形例１におけるセットトップボックス２０及び中継サーバ３０の動作（S１２）を説明するフローチャートである。なお、本図に示された各ステップのうち、図３に示されたステップと実質的に同一のものには同一の符号が付されている。
図５に示すように、Ｓ１００において、セットトップボックス２０の要求取得部６００（図２）は、テレビ受像機１０からアクセス要求を受信すると、受信したアクセス要求をアクセス先決定部６２２に出力する。
【００５２】
S１１０において、アクセス先決定部６２２は、要求取得部６００から入力されたアクセス要求のページ特定情報（URLやIPアドレスなど）に基づいて、アクセス先が既定のアクセス先であるか否かを判断する。本変形例の「既定のアクセス先」は、害のないサイトであることが予め確認されているサイトである。
第１中継プログラム６２は、アクセス先が、既定の非有害サイトである場合に、S１６０の処理に移行し、アクセス先が、既定の非有害サイト以外である場合に、S１２５の処理に移行する。
【００５３】
ステップ１２５（Ｓ１２５）において、アクセス先決定部６２２は、認証部６１２に対して端末認証及びユーザ認証を要求する。
認証部６１２は、アクセス要求に含まれているMACアドレスに基づいて端末認証を行い、ユーザが入力したパスワードに基づいてユーザ認証を行う。
【００５４】
Ｓ１３０において、アクセス先決定部６２２は、端末認証及びユーザ認証がいずれも成功した場合に、中継サーバ３０をアクセス要求の転送先に決定し、いずれかの認証に失敗した場合に、アクセス要求のアクセス先（すなわち、当初アクセス先）をそのまま転送先とする。
第１中継プログラム６２は、端末認証に成功した場合に、S１４０の処理に移行し、いずれかの認証に失敗した場合に、S１６０の処理に移行する。
【００５５】
Ｓ１４０において、アクセス先決定部６２２は、アクセス要求を個人情報挿入部６４０に出力する。個人情報挿入部６４０は、個人情報読出し部６３０により個人情報格納部２００から読み出された個人情報（本変形例では、ユーザの年齢など）を、アクセス先決定部６２２から入力されたアクセス要求に挿入し、個人情報が挿入されたアクセス要求を要求書換部６５０に出力する。
Ｓ１５０において、要求書換部６５０は、個人情報挿入部６４０からアクセス要求が入力されると、入力されたアクセス要求のアクセス先（当初アクセス先のURLなど）をアクセス要求の他の部分に書き込み、アクセス要求のアクセス先を、中継サーバ３０に書き換える。
中継部６６０は、要求書換部６５０によりアクセス先が書き換えられたアクセス要求に従って、アクセス要求を中継サーバ３０に向けて送信する。
【００５６】
Ｓ１６０において、アクセス先決定部６２２は、アクセス要求をそのまま中継部６６０に出力する。
中継部６６０は、アクセス先決定部６２２から入力されたアクセス要求（書き換えられていないアクセス要求）を、このアクセス要求に従って送信する。すなわち、本アクセス要求は、中継サーバ３０によるフィルタリングの対象とならない。
【００５７】
ステップ１７５（Ｓ１７５）において、中継サーバ３０の要求取得部７００は、セットトップボックス２０からアクセス要求を受信すると、受信したアクセス要求をページ選択部７１２に出力する。
ページ選択部７１２は、有害サイト情報格納部３００を参照して、要求取得部７００から入力されたアクセス要求の当初アクセス先と個人情報とに基づいて、当初アクセス先へのアクセスが許可されているか否かを判断する。
【００５８】
ステップ１８５（S１８５）において、第２中継プログラム７２は、アクセスが許可されていると判断された場合に、S１９０の処理に移行し、アクセスが禁止されていると判断された場合に、S１９５の処理に移行する。
【００５９】
ステップ１９０（S１９０）において、ページ選択部７１２は、当初アクセス先をリダイレクト先として選択する。
アクセス支援部７２０は、ページ選択部７１０により選択されたリダイレクト先（当初アクセス先）をセットトップボックス２０に通知する。
【００６０】
ステップ１９５（Ｓ１９５）において、ページ選択部７１２は、既定の非有害サイトをリダイレクト先として選択する。
アクセス支援部７２０は、ページ選択部７１０により選択されたリダイレクト先（既定の非有害サイト）をセットトップボックス２０に通知する。これにより、非有害サイトへ強制的にリダイレクトされる。
【００６１】
次に、第１の実施形態の変形例２を説明する。
図６は、変形例２の概略を説明する図である。
図６に例示するように、放送施設５０は、暗号化データの解読に用いる鍵データ（本例では、公開鍵暗号方式の秘密鍵）を、放送電波に組み込んで送出する。
テレビ受像機１０は、放送施設５０から受信した鍵データをセットトップボックス２０に出力する。
一方、セットトップボックス２０は、テレビ受像機１０からの要求に応じて、放送番組に連動するウェブページにアクセスし、既定の暗号化鍵（本例では、公開鍵暗号方式の公開鍵）で暗号化された特典コンテンツを取得する。セットトップボックス２０は、テレビ受像機１０が、対応する鍵データ（秘密鍵）を放送施設５０から受信している場合には、取得した特典コンテンツを復号化して、テレビ受像機１０に表示させることができる。
このように、本変形例２では、鍵ペア（公開鍵と秘密鍵）を番組毎に切り替えることにより、特定の番組を閲覧した視聴者にのみ、この番組に関連した特典コンテンツを配信することができる。
なお、本変形例２では、放送電波中に組み込まれた鍵データをセットトップボックス２０上で利用しているが、これに限定されるものではなく、例えば、セットトップボックス２０が、テレビ受像機２０から入力された鍵データ（すなわち、放送電波により配信された鍵データ）をサービス提供サーバ４０に送信し、サービス提供サーバ４０が、受信した鍵データを利用するように構成してもよい。
【００６２】
［第２実施形態］
次に、第２の実施形態を説明する。
上記第１の実施形態では、放送電波の中に、ウェブサイトへのリンク情報が埋め込まれており、このリンク情報の選択操作をトリガーとしてアクセス要求が送信される形態を説明したが、第２の実施形態では、このようなリンク情報が埋め込まれていない形態を説明する。
図７は、第２の実施形態におけるセットトップボックス２０を例示する図である。
図７に例示するように、本実施形態のセットトップボックス２０は、受光部２０２を有する。受光部２０２は、テレビリモコン１２から送出されるテレビ制御信号（例えば、赤外線信号）を受光する。すなわち、本実施形態では、テレビ受像機１０に対して送出されたテレビ制御信号が、セットトップボックス２０にも取得される。
【００６３】
図８は、第２の実施形態における第１中継プログラム８の機能構成を例示する図である。なお、中継サーバ３０にインストールされる第２中継プログラムは、図２に示した第２中継プログラム７と実質的に同一である。
図８に例示するように、第１中継プログラム８は、モード切替部８００、番組情報取得部８０５、赤外信号解析部８１０、要求取得部８１５、端末認証部８２０、計時部８２５、番組特定部８３０、アクセス先決定部８３５、視聴時間管理部８４０、個人情報読出し部８４５、個人情報挿入部８５０、及び、中継部８５５を有する。
第１中継プログラム８は、セットトップボックス２０にインストールされる。
【００６４】
第１中継プログラム８において、モード切替部８００は、既定の番組が放送されている時間帯であるか否かに応じて、セットトップボックス２０の動作モードを、通常モード、又は、これよりも消費電力の小さいスリープモードに切り替える。本例のモード切替部８００は、番組情報取得部８０５から入力される各番組の放送時間と、計時部８２５から入力される現在時刻とに基づいて、既定の番組（サービス提供サーバ４０のサービスと連動させるテレビ番組）が放送されている時間帯であるか否かを判断し、既定の番組が放送されている時間帯である場合に、通常モード（スタンバイモード）に設定し、既定の番組が放送されている時間帯でない場合に、スリープモードに設定する。
【００６５】
番組情報取得部８０５は、各番組の放送時間が含まれた番組情報を取得する。本例の番組情報取得部８０５は、インターネット網を介して、番組情報を取得するが、これに限定されるものではなく、例えば、放送電波に埋め込まれた番組情報を取得してもよい。
【００６６】
赤外信号解析部８１０は、受光部２０２（図７）により受光されたテレビ制御信号を解析して、制御内容を特定する。本例の赤外信号解析部８１０は、受光部２０２により受光された赤外線信号を解析して、チャンネル切替操作（チャンネル番号）と、ウェブ閲覧操作とを特定する。
【００６７】
要求取得部８１５は、テレビ受像機１０から送信されるアクセス要求を取得する。
端末認証部８２０は、アクセス要求に含まれる送信元MACアドレスに基づいて、端末認証を行う。
計時部８２５は、タイマであり、現在時刻を出力する。
【００６８】
番組特定部８３０は、テレビ受像機１０で上映されている番組を特定する。本例の番組特定部８３０は、番組情報取得部８０５から入力される番組情報（番組表）と、赤外信号解析部８１０から入力されるチャンネル番号と、計時部８２５から入力される現在時刻とに基づいて、テレビ受像機１０で上映されている番組を特定する。
【００６９】
アクセス先決定部８３５は、端末認証部８２０による認証結果と、番組特定部８３０により特定された番組とに基づいて、要求取得部８１５により取得されたアクセス要求の転送先を決定する。本例のアクセス先決定部８３５は、端末認証部８２０による端末認証に成功し、かつ、番組特定部８３０により特定された番組（上映中の番組）が既定の番組（テレビショッピング番組）である場合に、中継サーバ４０を転送先に決定し、端末認証部８２０による端末認証に失敗した場合、又は、番組特定部８３０により特定された番組が既定の番組（テレビショッピング番組）でない場合に、アクセス要求のアクセス先をそのまま転送先に決定する。
【００７０】
視聴時間管理部８４０は、番組特定部８３０により特定された番組と、計時部８２５から入力される現在時刻とに基づいて、各番組の視聴時間を算出し、算出された視聴時間をその番組に対応づけた状態で個人情報格納部２００に格納する。
【００７１】
個人情報読出し部８４５は、個人情報挿入部８５０からの要求に応じて、個人情報格納部２００に格納されている個人情報を読み出す。
個人情報挿入部８５０は、端末認証部８２０による端末認証に成功した場合にのみ、個人情報読出し部８４５により読み出された個人情報を、アクセス要求に挿入する。
【００７２】
中継部８５５は、アクセス先決定部８３５により決定された転送先に向けて、アクセス要求を送信する。
また、中継部８５５は、送信されたアクセス要求によって接続が確立されると、この確立された接続による通信を中継する。
【００７３】
また、図８に例示するように、セットトップボックス２０の記録領域には、個人情報格納部２００が設けられている。本例の個人情報格納部２００は、図９に例示するように、ユーザの氏名、住所及び年齢に加えて、各番組の累積視聴時間と、既定の番組放送中のアクセス要求の回数と、ウェブページのデータと、受信メールのデータとを格納する。各番組の累積視聴時間は、これらの番組に対応づけられた状態で格納される。既定の番組放送中のアクセス要求の回数も、これらの番組に対応づけられた状態で格納される。ウェブページのデータは、ウェブキャッシュ用のデータとして、アクセス先に対応づけて格納される。受信メールのデータは、放送局毎に分類された状態で格納される。
【００７４】
図１０は、第２の実施形態におけるセットトップボックス２０、中継サーバ３０及びサービス提供サーバ４０の動作（Ｓ２０）を説明するフローチャートである。
図１０に示すように、ステップ２００（S２００）において、セットトップボックス２０のモード切替部８００（図８）は、番組情報取得部８０５により取得された番組表と、計時部８２５から入力される現在時刻とに基づいて、既定の番組（本例では、特定のテレビショッピング番組）の放送時間であるか否かを判断する。
第１中継プログラム８は、特定のテレビショッピング番組の放送時間である場合に、S２０５の処理に移行し、これ以外の場合に、この放送時間になるまでスリープモードに設定した状態で待機する。
【００７５】
ステップ２０５（S２０５）において、モード切替部８００は、セットトップボックス２０の動作モードをスタンバイモードに切り替える。
【００７６】
ユーザは、テレビ番組の閲覧中に、所望のタイミングでテレビリモコン１２を操作して、ウェブページの閲覧を指示することができる。ウェブページの閲覧が指示されると、テレビ受像機１０は、ウェブブラウザを起動させて、ウェブページの閲覧準備に入る。
【００７７】
ステップ２１０（Ｓ２１０）において、セットトップボックス２０の正面に設けられた受光部２０２（図７）は、ユーザがテレビリモコン１２でウェブ閲覧操作を行うと、このウェブ閲覧操作の赤外線信号を受光し、受光した赤外線信号を赤外信号解析部８１０に出力する。
赤外信号解析部８１０は、受光部２０２から入力された赤外線信号を解析し、ウェブ閲覧操作を特定する。
第１中継プログラム８は、ウェブ閲覧操作が特定された場合に、S２１５の処理に移行し、これ以外の場合に、一定時間待機後にS２００の処理に戻る。
【００７８】
なお、要求取得部８００もテレビ受像機１０からアクセス要求を受信するが、赤外信号解析部８１０によるウェブ閲覧操作の特定よりも遅くなると考えられるため、本実施形態では、赤外信号解析部８１０によるウェブ閲覧操作の特定をトリガーとしてS２１５以降の処理に移る。これにより、ウェブ閲覧の高速化が期待できる。
【００７９】
ステップ２１５（S２１５）において、番組特定部８３０は、赤外信号解析部８１０によりウェブ閲覧操作が特定されると、番組情報取得部８０５により取得された番組表と、赤外信号解析部８１０により特定された直近のチャンネル切替操作と、計時部８２５から入力される現在時刻とに基づいて、テレビ受像機１０で放映されている番組を特定する。
【００８０】
ステップ２２０（S２２０）において、アクセス先決定部８３５は、番組特定部８３０により特定された番組が既定の番組（特定のテレビショッピング番組）であるか否かを判断する。
第１中継プログラム８は、番組特定部８３０により特定された番組が特定のテレビショッピング番組である場合（すなわち、テレビショッピング番組の視聴中にウェブ閲覧操作が行われた場合）、S２２５の処理に移行し、番組特定部８３０により特定された番組が特定のテレビショッピング番組でない場合（すなわち、他の番組を視聴中にウェブ閲覧操作が行われた場合）、S２５０の処理に移行する。
【００８１】
ステップ２２５（Ｓ２２５）において、アクセス先決定部８３５は、端末認証部８２０に対して端末認証を要求する。
端末認証部８２０は、要求取得部８１５により取得されたアクセス要求の送信元MACアドレス（すなわち、テレビ受像機１０のMACアドレス）が既定のアドレスであるか否かを判断し、既定のアドレスである場合に、端末認証に成功した旨をアクセス先決定部８３５に通知し、既定のアドレスでない場合に、端末認証に失敗した旨をアクセス先決定部８３５に通知する。
【００８２】
ステップ２３０（Ｓ２３０）において、アクセス先決定部８３５は、端末認証に成功した旨が通知された場合に、中継サーバ３０をアクセス要求の転送先に決定し、端末認証に失敗した旨が通知された場合に、アクセス要求のアクセス先（すなわち、当初アクセス先）をそのまま転送先とする。
第１中継プログラム８は、端末認証に成功した場合に、S２３５の処理に移行し、端末認証に失敗した場合に、S２５０の処理に移行する。
【００８３】
ステップ２３５（Ｓ２３５）において、アクセス先決定部８３５は、アクセス要求を個人情報挿入部８５０に出力する。
個人情報挿入部８５０は、個人情報読出し部８４５により個人情報格納部２００から読み出された個人情報（本例では、ユーザの氏名、住所、累積視聴時間、視聴中のアクセス要求の回数など）を、アクセス先決定部８３５から入力されたアクセス要求に挿入し、個人情報が挿入されたアクセス要求を中継部８５５に出力する。
【００８４】
ステップ２４０（Ｓ２４０）において、中継部８５５は、個人情報挿入部８５０からアクセス要求が入力されると、入力されたアクセス要求のアクセス先（当初アクセス先のURLなど）をアクセス要求の他の部分に書き込み、アクセス要求のアクセス先を、中継サーバ３０に書き換え、その後に、書き換えられたアクセス要求に従って、アクセス要求を中継サーバ３０に向けて送信する。
【００８５】
ステップ２４５（S２４５）において、中継サーバ３０は、セットトップボックス２０（中継部８５５）からアクセス要求を受信すると、サービス提供サーバ４０のお得意様ページにリダイレクトするようにセットトップボックス２０に指示する。
セットトップボックス２０（中継部８５５）は、中継サーバ３０からのリダイレクト指示に応じて、サービス提供サーバ４０にアクセス要求を送信して、お得意様ページを要求する。
【００８６】
ステップ２５０（Ｓ２５０）において、アクセス先決定部８３５は、要求取得部８１５により取得されたアクセス要求をそのまま中継部８５５に出力する。
中継部８５５は、アクセス先決定部８３５から入力されたアクセス要求（書き換えられていないアクセス要求）を、このアクセス要求に従って送信する。すなわち、このアクセス要求は、中継サーバ３０を経由することなく、サービス提供サーバ４０や他のウェブサーバに送信され、通常ページやポータルサイトを要求する。
【００８７】
ステップ２５５（Ｓ２５５）において、サービス提供サーバ４０は、アクセス要求に含まれている個人情報（特定の番組の累積閲覧時間及びこの番組視聴中のアクセス要求回数）に基づいて、割引ポイントを算出する。特定のテレビショッピング番組の視聴時間が長いほど、多くの割引ポイントが付与される。同様に、特定のテレビショッピング番組の視聴中に、この番組と連動するインターネットショッピングサイトへのアクセス回数が多いほど、多くの割引ポイントが付与される。これらの割引ポイント付与により、テレビショッピング番組の視聴とインターネットショッピングサイトの閲覧の促進が期待される。
【００８８】
ステップ２６０（Ｓ２６０）において、サービス提供サーバ４０は、算出された割引ポイントと、他の個人情報（ユーザの氏名及び住所など）とが記入されたショッピングサイト（お得意様ページ）を、セットトップボックス２０を介して、テレビ受像機１０のウェブブラウザに表示させる。
【００８９】
ステップ２７０（S２７０）において、サービス提供サーバ４０又は他のウェブサーバは、アクセス要求を受信すると、通常のショッピングサイト又はポータルサイトを、セットトップボックス２０を介して、テレビ受像機１０のウェブブラウザに表示させる。
【００９０】
以上説明したように、第２の実施形態におけるサービス提供システム１によれば、テレビ番組の放送電波に、ウェブサイトへのリンク情報が埋め込まれていなくても、テレビ番組とウェブサイトとを連動させることができる。
【００９１】
次に、第２の実施形態の変形例１を説明する。
変形例１として、サービス提供システム１が、テレビ番組と連動して、サンプル商品の申込受付を行う形態を説明する。
図１１は、サンプル商品の申込受付を行うサービス提供システム１の動作（S３０）を説明するフローチャートである。
ユーザは、テレビ番組の閲覧中に、所望のタイミングでテレビリモコン１２を操作して、ウェブページの閲覧を指示することができる。本例のテレビ番組には、サンプル商品を紹介する番組と、他の番組とが含まれている。
【００９２】
ステップ３１０（Ｓ３１０）において、セットトップボックス２０の正面に設けられた受光部２０２（図７）は、ユーザがテレビリモコン１２でウェブ閲覧操作を行うと、このウェブ閲覧操作の赤外線信号を受光し、受光した赤外線信号を赤外信号解析部８１０に出力する。
赤外信号解析部８１０は、受光部２０２から入力された赤外線信号を解析し、ウェブ閲覧操作を特定する。
第１中継プログラム８は、ウェブ閲覧操作が特定されるまで待機し、ウェブ閲覧操作が特定された場合に、S３１５の処理に移行する。
【００９３】
ステップ３１５（S３１５）において、番組特定部８３０は、赤外信号解析部８１０によりウェブ閲覧操作が特定されると、番組情報取得部８０５により取得された番組表と、赤外信号解析部８１０により特定された直近のチャンネル切替操作と、計時部８２５から入力される現在時刻とに基づいて、テレビ受像機１０で放映されている番組を特定する。
【００９４】
ステップ３２０（S３２０）において、アクセス先決定部８３５は、番組特定部８３０により特定された番組が特定のサンプル商品紹介番組であるか否かを判断する。
第１中継プログラム８は、番組特定部８３０により特定された番組が特定のサンプル商品紹介番組である場合（すなわち、サンプル商品紹介番組の視聴中にウェブ閲覧操作が行われた場合）、S３２５の処理に移行し、番組特定部８３０により特定された番組が特定のサンプル商品紹介番組でない場合（すなわち、他の番組を視聴中にウェブ閲覧操作が行われた場合）、S３５０の処理に移行する。
【００９５】
ステップ３２５（Ｓ３２５）において、アクセス先決定部８３５は、端末認証部８２０に対して端末認証を要求する。端末認証部８２０は、要求取得部８１５により取得されたアクセス要求の送信元MACアドレス（すなわち、テレビ受像機１０のMACアドレス）が既定のアドレスであるか否かを判断し、既定のアドレスである場合に、端末認証に成功した旨をアクセス先決定部８３５に通知し、既定のアドレスでない場合に、端末認証に失敗した旨をアクセス先決定部８３５に通知する。
【００９６】
ステップ３３０（Ｓ３３０）において、アクセス先決定部８３５は、端末認証に成功した旨が通知された場合に、個人情報の挿入を指示し、端末認証に失敗した旨が通知された場合に、個人情報の挿入を禁止し、アクセス要求をそのまま中継部８５５に出力する。
第１中継プログラム８は、端末認証に成功した場合に、S３３５の処理に移行し、端末認証に失敗した場合に、S３４０の処理に移行する。
【００９７】
ステップ３３５（Ｓ３３５）において、アクセス先決定部８３５は、アクセス要求を個人情報挿入部８５０に出力する。
個人情報挿入部８５０は、個人情報読出し部８４５により個人情報格納部２００から読み出された個人情報（本例では、ユーザの氏名、住所、累積視聴時間など）を、アクセス先決定部８３５から入力されたアクセス要求に挿入し、個人情報が挿入されたアクセス要求を中継部８５５に出力する。
【００９８】
ステップ３４０（Ｓ３４０）において、中継部８５５は、アクセス先決定部８３５又は個人情報挿入部８５０からアクセス要求が入力されると、入力されたアクセス要求のアクセス先（当初アクセス先のURLなど）をアクセス要求の他の部分に書き込み、アクセス要求のアクセス先を、中継サーバ３０に書き換え、その後に、書き換えられたアクセス要求に従って、アクセス要求を中継サーバ３０に向けて送信する。
【００９９】
ステップ３５０（S３５０）において、アクセス先決定部８３５は、要求取得部８１５により取得されたアクセス要求をそのまま中継部８５５に出力する。
中継部８５５は、アクセス先決定部８３５から入力されたアクセス要求（書き換えられていないアクセス要求）を、このアクセス要求に従って送信する。すなわち、このアクセス要求は、中継サーバ３０を経由することなく、例えば、ウェブブラウザ起動直後に表示するよう設定されたページ（ポータルサイトなど）を要求する。
【０１００】
ステップ３５５（S３５５）において、中継サーバ３０は、セットトップボックス２０（中継部８５５）からアクセス要求を受信すると、サービス提供サーバ４０のサンプル申込受付ページにリダイレクトするようにセットトップボックス２０に指示する。
セットトップボックス２０（中継部８５５）は、中継サーバ３０からのリダイレクト指示に応じて、サービス提供サーバ４０にアクセス要求を送信して、サンプル申込受付ページを要求する。
【０１０１】
ステップ３６０（S３６０）において、サービス提供サーバ４０は、セットトップボックス２０から受信したアクセス要求に個人情報が含まれているかを判断する。
サービス提供サーバ４０は、アクセス要求に個人情報が含まれている場合に、S３６５の処理に移行し、個人情報が含まれていない場合に、S３７０の処理に移行する。
【０１０２】
ステップ３６５（Ｓ３６５）において、サービス提供サーバ４０は、アクセス要求に応じて、個人情報が記入されたサンプル申込受付ページを、セットトップボックス２０を介して、テレビ受像機１０のウェブブラウザに表示する。
【０１０３】
ステップ３７０（Ｓ３７０）において、サービス提供サーバ４０は、アクセス要求に応じて、個人情報が記入されていないサンプル申込受付ページを、セットトップボックス２０を介して、テレビ受像機１０のウェブブラウザに表示する。
【０１０４】
ステップ３７５（S３７５）において、アクセス要求を受信したウェブサーバは、要求されたサイト（ポータルサイトなど）を、セットトップボックス２０を介して、テレビ受像機１０のウェブブラウザに表示させる。
【０１０５】
［第３実施形態］
次に、第３の実施形態を説明する。
上記第１及び第２の実施形態では、周辺装置の一例として、セットトップボックス２０を用いる形態を説明したが、第３の実施形態では、テレビ受像機１０に対して着脱自在な記録装置２２を周辺装置の具体例として用いる形態を説明する。
【０１０６】
図１２は、第３の実施形態におけるサービス提供システム２の全体構成を例示する図である。なお、本図に示された各構成のうち、図１に示された構成と実質的に同一のものには同一の符号が付されている。
図１２に例示するように、サービス提供システム２は、図１のサービス提供システム１のセットトップボックス２０を記録装置２２で置換し、中継サーバ３０を削除した構成をとる。
記録装置２２は、例えば、ＵＳＢメモリであり、ユーザの個人情報と、情報挿入プログラム２３０（後述）とが格納される。
本例のテレビ受像機１０は、放送電波に含まれているリンク情報に基づいて、直接、サービス提供サーバ４２にアクセスする。その際に、テレビ受像機１０は、記録装置２２に格納されている個人情報をアクセス要求に挿入し、個人情報が挿入されたアクセス要求をサービス提供サーバ４２に送信する。
本例のサービス提供サーバ４２は、アクセス要求に個人情報（記録装置２２から読み出したもの）が含まれている場合には、放送中の番組に対応するお得意様サイトのＢＭＬファイルをテレビ受像機１０に送信し、アクセス要求に個人情報（記録装置２２から読み出したもの）が含まれていない場合には、放送中の番組に対応する通常サイトのＢＭＬファイルをテレビ受像機１０に送信する。
【０１０７】
図１３は、記録装置２２に格納されている情報挿入プログラム２３０の機能構成を例示する図である。
図１３に例示するように、情報挿入プログラム２３０は、要求検知部２３２、アクセス先判定部２３４、端末認証部２３６、個人情報読出し部２３８、及び個人情報挿入部２４０を有する。
また、記録装置２２の記録領域には、ユーザの個人情報を格納する個人情報格納部２２０が設けられている。
なお、本例の情報挿入プログラム２３０は、テレビ受像機１０に設けられたブラウザ（ＢＭＬブラウザ）のプラグインであり、テレビ受像機１０に設けられたブラウザと協働する。
【０１０８】
要求検知部２３２は、テレビ受像機１０のブラウザによって生成されたアクセス要求を検知する。
アクセス先判定部２３４は、要求検知部２３２により検知されたアクセス要求のアクセス先を特定し、特定されたアクセス先と、端末認証部２３６による認証結果とに基づいて、個人情報を挿入するか否かを判断する。本例のアクセス先判定部２３４は、アクセス先が既定のサイトであり、かつ、端末認証部２３６による認証に成功した場合にのみ、個人情報の挿入を許可する。
端末認証部２３６は、テレビ受像機１０のＭＡＣアドレスに基づいて、認証を行い、認証結果をアクセス先判定部２３４に出力する。
【０１０９】
個人情報読出し部２３８は、個人情報挿入部２４０からの要求に応じて、個人情報格納部２２０から個人情報を読み出す。
個人情報挿入部２４０は、アクセス先判定部２３４により個人情報の挿入が許可された場合に、個人情報読出し部２３８に対して個人情報の読出しを要求し、個人情報読出し部２３８により読み出された個人情報を、要求検知部２３２により検知されたアクセス要求に挿入する。挿入される個人情報には、例えば、ユーザの氏名や住所などに加えて、決済に必要な信用情報（クレジットカード番号など）が含まれる。
【０１１０】
以上説明したように、本実施形態におけるサービス提供システム２によれば、テレビ受像機１０だけでは提供できない個人情報を、一定の条件下で、サービス提供サーバ４２に提供することができる。サービス提供サーバ４２は、このような付加的な個人情報に基づいて、付加的なサービスをユーザに提供することができる。
【０１１１】
［第４実施形態］
次に、第４の実施形態を説明する。
第４の実施形態では、チューナ装置２４を周辺装置の具体例として用いる形態を説明する。
図１４は、第４の実施形態におけるテレビ受像機及びチューナ装置２４を例示する図である。なお、本実施形態におけるサービス提供システム１は、図１のテレビ受像機１０及びセットトップボックス２０が図１４のテレビ受像機及びチューナ装置２４で置換された点を除いて、図１に示された構成と実質的に同一である。
図１４に例示するように、本例のテレビ受像機は、チューナ装置２４に接続されている。
チューナ装置２４は、アンテナ２４６により放送電波を受信し、受信した放送電波（放送信号）を映像データ及び音声データに変換してテレビ受像機に出力する。
また、チューナ装置２４には、チューナリモコン２４２（チューナ装置２３のリモートコントローラ）が付属する。チューナリモコン２４２は、ユーザの操作を受け付けて、受け付けた操作に対応する制御信号を送出する。チューナ装置２４は、チューナリモコン２４２から送出される制御信号を、受信部２４４で受信し、受信した制御信号に応じて動作する。
【０１１２】
図１５は、チューナ装置２４の機能構成を例示する図である。
図１５に例示するように、チューナ装置２４は、受信処理部２５０、データ分配部２５２、音声デコーダ２５４、映像デコーダ２５６、字幕デコーダ２５８、提示処理部２６０、番組情報取得部２６２、制御信号解析部２６４、選局処理部２６６、ＢＭＬブラウザ２６８、ＨＴＭＬブラウザ２７０、通信処理部２７２、要求編集部２７４、端末認証部２７６、アクセス先決定部２７８、個人情報挿入部２８０、個人情報読出し部２８２、及び個人情報格納部２８４を有する。
【０１１３】
受信処理部２５０は、アンテナ２４６（図１４）により受信された放送電波（放送信号）の中から、選局処理部２６６により選択された局の放送信号を選択受信し、受信した放送信号を復調してＴＳ信号を生成する。
データ分配部２５２は、受信処理部２５０により生成されたＴＳ信号から、映像データ、音声データ、字幕データ、及び、番組情報データなどを分離抽出する。
音声デコーダ２５４は、データ分配部２５２により抽出された音声データを、非圧縮の音声信号に復号化する。復号化された音声信号は、テレビ受像機に入力されて、音声として出力される。
映像デコーダ２５６は、データ分配部２５２により抽出された映像データを、非圧縮の映像信号に復号化する。
字幕デコーダ２５８は、データ分配部２５２により抽出された字幕データを、非圧縮の文字画像信号に復号化する。
提示処理部２６０は、映像デコーダ２５６により復号化された映像信号と、字幕デコーダ２５８により復号化された文字画像信号とを重畳して、テレビ受像機に表示させる。また、提示処理部２６０は、ＢＭＬブラウザ２６８から表示領域が指定されている場合に、映像デコーダ２５６から入力された映像信号などを表示領域に応じてリサイズし、ＢＭＬコンテンツと重畳して表示させる。
【０１１４】
番組情報取得部２６２は、データ分配部２５２により抽出された番組情報データに基づいて、番組表を生成する。
制御信号解析部２６４は、受信部２４４により受信された制御信号を解析して、解析結果に応じて他の構成を制御する。
選局処理部２６６は、制御信号解析部２６４による制御に応じて、番組情報取得部２６２により生成された番組表の中から、上映すべき放送局を選択する。
【０１１５】
ＢＭＬブラウザ２６８は、制御信号解析部２６４によりＢＭＬファイルの出力が指示されると、通信処理部２７２を介して、ＢＭＬファイルを取得し、取得されたＢＭＬファイルを解析して、解析結果に応じたコンテンツを提示処理部２６０に表示させる。
ＨＴＭＬブラウザ２７０は、制御信号解析部２６４によりＨＴＭＬファイルの出力が指示されると、通信処理部２７２を介して、ＨＴＭＬファイルを取得し、取得されたＨＴＭＬファイルを解析して、解析結果に応じたコンテンツをテレビ受像機に出力させる。
通信処理部２７２は、ネットワーク（例えば、インターネット網）を介したデータ通信を実現する。
【０１１６】
要求編集部２７４は、ＢＭＬブラウザ２６８又はＨＴＭＬブラウザ２７０により生成されたアクセス要求を、端末認証部２７６による認証結果に応じて編集する。本例の要求編集部２７４は、端末認証部２７６による認証に成功した場合に、アクセス先決定部２７８によるアクセス先の変更処理と、個人情報挿入部２８０による個人情報の挿入処理とを許可する。
端末認証部２７６は、テレビ受像機のＭＡＣアドレスに基づいて、認証処理を行う。
【０１１７】
アクセス先決定部２７８は、端末認証部２７６による認証に成功し、かつ、アクセス要求のアクセス先が既定のアクセス先である場合に、ＢＭＬブラウザ２６８又はＨＴＭＬブラウザ２７０により生成されたアクセス要求の転送先を中継サーバ３０（図１）に変更し、端末認証部２７６による認証に失敗した場合、又は、アクセス要求のアクセス先が既定のアクセス先以外である場合に、ＢＭＬブラウザ２６８又はＨＴＭＬブラウザ２７０により生成されたアクセス要求の転送先を変更しない。
個人情報挿入部２８０は、端末認証部２７６による認証に成功した場合に、個人情報読出し部２８２により読み出された個人情報を、ＢＭＬブラウザ２６８又はＨＴＭＬブラウザ２７０により生成されたアクセス要求に挿入する。
個人情報読出し部２８２は、個人情報挿入部２８０からの要求に応じて、個人情報格納部２８４から、ユーザの個人情報を読み出す。
個人情報格納部２８４は、ユーザの個人情報を格納する。
【０１１８】
以上の構成により、本実施形態のチューナ装置２４は、ＢＭＬブラウザによるコンテンツ閲覧が指示された場合には、放送信号の復号処理及びデコード処理などに加えて、上記第１の実施形態におけるセットトップボックス２０と同様の機能を実現し、ＨＴＭＬブラウザによるコンテンツ閲覧が指示された場合には、上記第２の実施形態におけるセットトップボックス２０と同様の機能を実現する。
【０１１９】
［第５実施形態］
次に、第５の実施形態を説明する。上記実施形態では、セットトップボックス２０等にユーザ情報が格納されている形態を説明したが、本実施形態では、テレビ受像機１０から離れたところに設置されたサーバ（後述するユーザ情報管理サーバ３２）にユーザ情報が格納される。そして、ユーザが所定のサービス（ユーザ情報を要するサービス）を要求した場合には、このサーバが、中継サーバとしての機能と共に、ユーザ情報を付加してサービス要求をサービス提供サーバ４０に転送する機能を有する。なお、本実施形態では、ＣＡＴＶ放送システムに本発明を適用した形態を説明するが、これに限定されるものではない。
図１６は、サービス提供システム３の構成を例示する図である。
図１６に例示するように、サービス提供システム３は、テレビ受像機１０、ＣＡＴＶセットトップボックス２６、ユーザ管理サーバ３２、サービス提供サーバ４０、及び、ＣＡＴＶ放送施設５２を有する。
ＣＡＴＶセットトップボックス２６には、ＣＡＴＶリモコン１２（セットトップボックスのリモートコントローラ）が付属する。ユーザは、ＣＡＴＶリモコン１２を操作することにより、ＣＡＴＶセットトップボックス２６を制御して、テレビ受像機１０に表示するコンテンツを間接的に制御することができる。
【０１２０】
ＣＡＴＶセットトップボックス２６は、テレビ受像機１０に直接接続された周辺装置である。ＣＡＴＶセットトップボックス２６は、ＣＡＴＶリモコン１２からのサービス要求を中継する中継装置（第１の中継装置）であり、後述する第１中継プログラム６４に従って動作する。
【０１２１】
ユーザ情報管理サーバ３２は、後述する第２中継プログラム７４がインストールされたサーバ装置であり、ＣＡＴＶセットトップボックス２６から受信したサービス要求をサービス提供サーバ４０に中継する。
サービス提供サーバ４０は、ウェブサーバであり、クライアント端末（テレビ受像機１０など）に対して、サービスを提供する。提供されるサービスは、例えば、ビデオオンデマンドサービスなどである。
ＣＡＴＶ放送施設５２は、ＣＡＴＶ放送の放送信号をＣＡＴＶセットトップボックス２６に送出する。
【０１２２】
なお、図１６において、一点鎖線は、放送通信路を意味する。また、ＣＡＴＶセットトップボックス２６、ユーザ情報管理サーバ３２、及びサービス提供サーバ４０は、ＩＰネットワークなどの双方向通信回線により互いに接続されている。ユーザ情報管理サーバ３２及びサービス提供サーバ４０は、ＣＡＴＶ放送施設５２の同一敷地内に設置されてもよく、上記放送通信路及び双方向通信回線が同一のケーブル（例えば、ＣＡＴＶ用の同軸ケーブル）に混在してもよい。
【０１２３】
図１７は、ＣＡＴＶセットトップボックス２６にインストールされる第１中継プログラム６４の機能構成と、ユーザ情報管理サーバ３２にインストールされる第２中継プログラム７４の機能構成とを例示する図である。
図１７に例示するように、第１中継プログラム６４は、要求取得部６０２、サービス判定部６７０、ユーザＩＤ挿入部６８０、及び、中継部６６２を有する。
第２中継プログラム７４は、要求取得部７００、個人情報読出し部７３０、及び、サービス要求部７４０を有する。また、ユーザ情報管理サーバ３２の記録領域には、図１７に例示するように、ユーザに関する情報（利用者情報）を格納する個人情報格納部３２０が設けられている。
【０１２４】
第１中継プログラム６４において、要求取得部６０２は、ＣＡＴＶリモコン１２（クライアント端末）から、サービスの提供を要求するサービス要求を受信する。サービス要求には、要求するサービスを特定するための情報が含まれている。
【０１２５】
サービス判定部６７０は、要求取得部６０２により取得されたサービス要求に基づいて、要求されているサービスが既定のサービスであるか否かを判定し、既定のサービスであると判定された場合には、ユーザＩＤ（ユーザ識別情報）の挿入をユーザＩＤ挿入部６８０に指示し、既定のサービス以外であると判定された場合には、ユーザＩＤを挿入せず、そのままサービス要求を行うよう中継部６６２に指示する。既定のサービスとは、例えば、ユーザ情報（利用者情報）が必要とされるサービスである。
【０１２６】
ユーザＩＤ挿入部６８０は、要求取得部６０２により取得されたサービス要求に対して、利用者を識別する情報（ユーザＩＤ）を付加する。付加されるユーザＩＤは、利用者を識別できる情報であればなんでもよく、例えば、ＣＡＴＶの加入者識別情報などである。本例のユーザＩＤ挿入部６８０は、サービス判定部６７０により既定のサービスであると判定された場合に、要求取得部６０２により受信されたサービス要求に対して、ユーザＩＤ（加入者識別情報）を挿入する。
【０１２７】
中継部６６２は、要求取得部６０２により取得されたサービス要求をサービス提供サーバ４０に中継する。本例の中継部６６２は、サービス要求に対してユーザＩＤが挿入された場合に、このユーザＩＤが挿入されたサービス要求をユーザ情報管理サーバ３２に転送する。すなわち、この場合には、サービス要求がユーザ情報管理サーバ３２を経由してサービス提供サーバ４０に転送されることになる。一方、本例の中継部６６２は、サービス要求に対してユーザＩＤが挿入されなかった場合に、このサービス要求をサービス提供サーバ４０に転送する。
【０１２８】
第２中継プログラム７４において、要求取得部７００は、ＣＡＴＶセットトップボックス２６からのサービス要求を受信し、受信したサービス要求を個人情報読出し部７３０に出力する。
【０１２９】
個人情報読出し部７３０は、ユーザＩＤが付加されたサービス要求が入力されると、このユーザＩＤに対応するユーザ情報を個人情報格納部３２０から読み出す。
本例の個人情報読出し部７３０は、要求取得部７００からサービス要求が入力されると、このサービス要求に付加されたユーザＩＤに対応するユーザ情報を、個人情報格納部３２０から読み出し、読み出されたユーザ情報をサービス要求に付加してサービス要求部７４０に出力する。
【０１３０】
サービス要求部７４０は、個人情報読出し部７３０により読み出されたユーザ情報を用いて、このユーザに対するサービスの提供をサービス提供サーバ４０に指示する。
本例のサービス要求部７４０は、個人情報読出し部７３０により読み出されたユーザ情報を、要求取得部７００により取得されたサービス要求に付加してサービス提供サーバ４０に送信する。
【０１３１】
図１８は、ＣＡＴＶセットトップボックス２６及びユーザ情報管理サーバ３２の動作（Ｓ４０）を説明するフローチャートである。
ユーザは、ＣＡＴＶリモコン１２を用いて、ビデオオンデマンドなどのサービスを要求する操作を行うと、ＣＡＴＶリモコン１２は、この操作に応じて、サービス要求信号を生成しＣＡＴＶセットトップボックス２６に送信する。
【０１３２】
ステップ４００（Ｓ４００）において、ＣＡＴＶセットトップボックス２６の要求取得部６０２（図１７）は、ＣＡＴＶリモコン１２からサービス要求信号を受信すると、受信したサービス要求に対応するサービス要求ファイルを生成し、生成されたサービス要求ファイルをサービス判定部６７０に出力する。サービス要求ファイルには、少なくとも、要求するサービスを識別するための情報が含まれている。
【０１３３】
ステップ４０５（Ｓ４０５）において、サービス判定部６７０は、要求取得部６０２から入力されたサービス要求ファイルに基づいて、要求されているサービスがユーザ情報を必要とするものであるか否かを判定し、ユーザ情報を必要とするサービスである場合に、サービス要求ファイルをユーザＩＤ挿入部６８０に出力し、ユーザ情報を必要としないサービスである場合に、サービス要求ファイルをそのまま中継部６６２に出力する。
第１中継プログラム６４は、要求されているサービスがユーザ情報を必要とするものである場合に、Ｓ４１０の処理に移行し、要求されているサービスがユーザ情報を必要としないものである場合に、Ｓ４２０の処理に移行する。
【０１３４】
ステップ４１０（Ｓ４１０）において、ユーザＩＤ挿入部６８０は、サービス判定部６７０から入力されたサービス要求ファイルに、ユーザＩＤを挿入し、ユーザＩＤが挿入されたサービス要求ファイルを中継部６６２に出力する。なお、ユーザＩＤ挿入部６８０により挿入されるユーザＩＤは、例えば、ＣＡＴＶセットトップボックス２６の記録領域に書き込まれたものや、ＣＡＴＶセットトップボックス２６に装着された記録媒体からよみだされたものである。
【０１３５】
ステップ４１５（Ｓ４１５）において、中継部６６２は、ユーザＩＤ挿入部６８０から、ユーザＩＤが挿入されたサービス要求ファイルが入力されると、入力されたサービス要求ファイルをユーザ情報管理サーバ３２に送信する。
【０１３６】
ステップ４２０（Ｓ４２０）において、中継部６６２は、サービス判定部６７０から、ユーザＩＤが挿入されていないサービス要求ファイルが入力されると、入力されたサービス要求ファイルをサービス提供サーバ４０に送信する。
【０１３７】
ステップ４２５（Ｓ４２５）において、ユーザ情報管理サーバ３２の要求取得部７００（図１７）は、ＣＡＴＶセットトップボックス２６（中継部６６２）から、サービス要求ファイルを受信すると、受信したサービス要求ファイルを個人情報読出し部７３０に出力する。
【０１３８】
ステップ４３０（Ｓ４３０）において、個人情報読出し部７３０は、要求取得部７００からサービス要求ファイルが入力されると、入力されたサービス要求ファイルからユーザＩＤを抽出し、抽出されたユーザＩＤが個人情報格納部３２０に登録されているか否かを判断する。
第２中継プログラム７４は、サービス要求ファイルから抽出されたユーザＩＤが個人情報格納部３２０に登録されていた場合に、Ｓ４３５の処理に移行し、登録されていない場合に、Ｓ４４５の処理に移行する。
【０１３９】
ステップ４３５（Ｓ４３５）において、個人情報読出し部７３０は、サービス要求ファイルから抽出したユーザＩＤに対応するユーザ情報を個人情報格納部３２０から読み出し、読み出されたユーザ情報と、サービス要求ファイルとをサービス要求部７４０に出力する。
ステップ４４０（Ｓ４４０）において、サービス要求部７４０は、個人情報読出し部７３０から入力されたユーザ情報をサービス要求ファイルに挿入して、ユーザ情報が挿入されたサービス要求ファイルをサービス提供サーバ４０に送信する。
これにより、サービス提供サーバ４０は、ユーザ情報を用いたサービス提供を行うことができる。
【０１４０】
ステップ４４５（Ｓ４４５）において、個人情報読出し部７３０は、ＣＡＴＶセットトップボックス２６を介して、ユーザに対して、サービスの提供にユーザ登録が必要である旨を通知する。
【０１４１】
以上説明したように、第５の実施形態におけるサービス提供システム３によれば、ユーザ情報をユーザ情報管理サーバ３２に一元管理し、サービス提供に利用することができる。特に、ＣＡＴＶ事業者がユーザ情報管理サーバ３２を管理するような場合には、ＣＡＴＶの加入者情報を活用できるため好適である。
【０１４２】
最後に、上記第１〜第５の実施形態の他の変形例を説明する。
上記実施形態では、テレビ受像機と、これに接続された周辺装置（セットトップボックス２０、記録装置２２、又は、チューナ装置２４）とが別体として設けられた形態を説明したが、これに限定されるものではなく、例えば、これらの周辺装置がテレビ受像機に内蔵されてもよい。
また、上記第２の実施形態では、セットトップボックス２０が視聴中の番組を特定し、特定された番組に対応するアクセス先を決定しているが、これに限定されるものではなく、例えば、セットトップボックス２０が視聴中の番組を特定し、特定された番組の識別情報をサービス提供サーバ４０に送信するように構成してもよい。この構成では、サービス提供サーバ４０は、セットトップボックス２０から受信した番組の識別情報に応じて、提供するサービス（ウェブページ）を選択する。
また、上記実施形態のセットトップボックス２０、記録装置２２又はチューナ装置２４の記録領域には、個人情報に加えて、閲覧したコンテンツの少なくとも一部を番組に関連付けて格納してもよい。番組に関連付けて格納されたコンテンツデータは、当該番組に関連するページのキャッシュデータとして活用される。これにより、特定の番組に関連するページの表示が高速化される。
【図面の簡単な説明】
【０１４３】
【図１】サービス提供システム１の構成を例示する図である。
【図２】セットトップボックス２０にインストールされる第１中継プログラム６の機能構成と、中継サーバ３０にインストールされる第２中継プログラム７の機能構成とを例示する図である。
【図３】セットトップボックス２０及び中継サーバ３０の動作（Ｓ１０）を説明するフローチャートである。
【図４】フィルタリングを行う第１中継プログラム６２及び第２中継プログラム７２の機能構成を例示する図である。
【図５】変形例１におけるセットトップボックス２０及び中継サーバ３０の動作（Ｓ１２）を説明するフローチャートである。
【図６】変形例２の概略を説明する図である。
【図７】第２の実施形態におけるセットトップボックス２０を例示する図である。
【図８】第２の実施形態における第１中継プログラム８の機能構成を例示する図である。
【図９】個人情報格納部２００に格納される個人情報を例示する図である。
【図１０】第２の実施形態におけるセットトップボックス２０、中継サーバ３０及びサービス提供サーバ４０の動作（Ｓ２０）を説明するフローチャートである。
【図１１】サンプル商品の申込受付を行うサービス提供システム１の動作（Ｓ３０）を説明するフローチャートである。
【図１２】第３の実施形態におけるサービス提供システム２の全体構成を例示する図である。
【図１３】記録装置２２に格納されている情報挿入プログラム２３０の機能構成を例示する図である。
【図１４】第４の実施形態におけるテレビ受像機及びチューナ装置２４を例示する図である。
【図１５】チューナ装置２４の機能構成を例示する図である。
【図１６】第５の実施形態におけるサービス提供システム３の構成を例示する図である。
【図１７】第５の実施形態における第１中継プログラム６４及び第２中継プログラム７４の機能構成を例示する図である。
【図１８】第５の実施形態におけるセットトップボックス２０及び中継サーバ３０の動作（Ｓ４０）を説明するフローチャートである。
【符号の説明】
【０１４４】
１，２，３・・・サービス提供システム
１０・・・テレビ受像機
２０・・・セットトップボックス
２２・・・記録装置
２４・・・チューナ装置
２６・・・ＣＡＴＶセットトップボックス
３０・・・中継サーバ
３２・・・ユーザ情報管理サーバ
４０・・・サービス提供サーバ
【図１】
2010009591.tif 000003
【図２】
2010009591.tif 000004
【図３】
2010009591.tif 000005
【図４】
2010009591.tif 000006
【図５】
2010009591.tif 000007
【図６】
2010009591.tif 000008
【図７】
2010009591.tif 000009
【図８】
2010009591.tif 000010
【図９】
2010009591.tif 000011
【図１０】
2010009591.tif 000012
【図１１】
2010009591.tif 000013
【図１２】
2010009591.tif 000014
【図１３】
2010009591.tif 000015
【図１４】
2010009591.tif 000016
【図１５】
2010009591.tif 000017
【図１６】
2010009591.tif 000018
【図１７】
2010009591.tif 000019
【図１８】
2010009591.tif 000020